(57)【要約】【課題】外表面に備えた簡易な構造により、ケーブルに加わる外力の伝達を容易に阻止できるようにしたコネクタを提供すること。【解決手段】ケーブル１が引き出されるコネクタ本体２の外面にケーブル固定装置３を配備した。そのケーブル固定装置は互いに隣接した複数の溝１１，１２を有するものである。ケーブルを略Ｓ字状に変形させつつ、その複数の箇所を複数の溝に挿入せしめ、これによりケーブルをケーブル固定装置に係合固定する。【選択図】図１
2010040199.tif 000002
【特許請求の範囲】
【請求項１】
ケーブルに接続されるコネクタであって、前記ケーブルが引き出されるコネクタ本体と、前記コネクタ本体の外面に配備されたケーブル固定装置とを含み、前記ケーブル固定装置は互いに隣接した複数の溝を有し、前記ケーブルの略Ｓ字状の変形を伴って前記ケーブルの複数の箇所をそれぞれ前記複数の溝に挿入せしめ、これにより前記ケーブルを前記ケーブル固定装置に保持するように構成されたことを特徴とするコネクタ。
【請求項２】
前記複数の溝は、互いに異なる向きに開口されたケーブル挿入口を有している、請求項１に記載のコネクタ。
【請求項３】
前記ケーブル固定装置は、前記複数の溝のケーブル挿入口の少なくとも一つを開閉できる蓋を備え、該蓋により前記ケーブルを押圧保持する、請求項２に記載のコネクタ。
【請求項４】
前記複数の溝の互いに隣接したものは、互いに反対向きに開口されたケーブル挿入口を有している、請求項１に記載のコネクタ。
【請求項５】
前記ケーブル固定装置は、前記コネクタ本体のうち前記ケーブルが引き出される面に隣接した面に備えられている、請求項１から４のいずれかに記載のコネクタ。
【請求項６】
前記複数の溝は、前記ケーブルが引き出される面に直交する方向に前記ケーブルを案内するものである、請求項５に記載のコネクタ。
【請求項７】
前記コネクタ本体は、開放面を有するケースと、前記ケースの開放面に配置されたカバーとを含み、前記ケーブル固定装置は前記カバーに固定されている、請求項１から６のいずれかに記載のコネクタ。
【請求項８】
ケーブルを引き出すための第１の面を有するコネクタ本体と、前記コネクタ本体の第２の面から突出した、前記ケーブルを固定するためのケーブル固定装置とを含み、前記ケーブル固定装置は、突出方向に並んだ、前記ケーブルを挿入可能な複数の溝を有することを特徴とするコネクタ。
【発明の詳細な説明】
【技術分野】
【０００１】
本発明は、ケーブルに接続されるコネクタに関するものである。
【背景技術】
【０００２】
最近では、様々なタイプのコネクタが提案されており、中でも、ケーブルに接続されるタイプのコネクタが多く使用されている。このタイプのコネクタにおいては、ケーブルはコネクタの内部で電気回路に例えば半田付けなどにより接続され、そして、通常はコネクタからケーブルの軸方向に真っ直ぐに引き出される。コネクタから引き出された後、ケーブルはコネクタに固定されることなく、様々な形態で引き回される。
【発明の開示】
【発明が解決しようとする課題】
【０００３】
上述した状態でケーブルに接続されるコネクタにあっては、ケーブルにその引き出し方向に沿った外力が加わると、コネクタの内部におけるケーブルと電気回路との間の接続部に直に力が伝わりその接続部に破損を起こす虞がある。また、ケーブルにその引き出し方向に直交する方向の力が加わった場合にも、コネクタ内部に様々な障害を引き起こす虞がある。
【０００４】
それ故に本発明の課題は、外表面に備えた簡易な構造により、ケーブルに加わる外力の伝達を容易に阻止できるようにしたコネクタを提供することにある。
【課題を解決するための手段】
【０００５】
本発明の実施の態様によれば、ケーブルに接続されるコネクタであって、前記ケーブルが引き出されるコネクタ本体と、前記コネクタ本体の外面に配備されたケーブル固定装置とを含み、前記ケーブル固定装置は互いに隣接した複数の溝を有し、前記ケーブルの略Ｓ字状の変形を伴って前記ケーブルの複数の箇所をそれぞれ前記複数の溝に挿入せしめ、これにより前記ケーブルを前記ケーブル固定装置に保持するように構成されたことを特徴とするコネクタが得られる。
【０００６】
前記複数の溝は、互いに異なる向きに開口されたケーブル挿入口を有してもよい。
【０００７】
前記ケーブル固定装置は、前記複数の溝のケーブル挿入口の少なくとも一つを開閉できる蓋を備え、該蓋により前記ケーブルを押圧保持してもよい。
【０００８】
前記複数の溝の互いに隣接したものは、互いに反対向きに開口されたケーブル挿入口を有してもよい。
【０００９】
前記ケーブル固定装置は、前記コネクタ本体のうち前記ケーブルが引き出される面に隣接した面に備えられてもよい。
【００１０】
前記複数の溝は、前記ケーブルが引き出される面に直交する方向に前記ケーブルを案内するものであってもよい。
【００１１】
前記コネクタ本体は、開放面を有するケースと、前記ケースの開放面に配置されたカバーとを含み、前記ケーブル固定装置は前記カバーに固定されていてもよい。
【００１２】
本発明の実施の態様によれば、また、ケーブルを引き出すための第１の面を有するコネクタ本体と、前記コネクタ本体の第２の面から突出した、前記ケーブルを固定するためのケーブル固定装置とを含み、前記ケーブル固定装置は、突出方向に並んだ、前記ケーブルを挿入可能な複数の溝を有することを特徴とするコネクタが得られる。
【発明の効果】
【００１３】
本発明の実施の態様に係るコネクタによると、外表面に備えた簡易な構造により、ケーブルに加わる外力の伝達を容易に阻止できる。
【発明を実施するための最良の形態】
【００１４】
図１から図３を参照して、本発明の一実施形態に係るコネクタについて説明する。
【００１５】
図示のコネクタは、一側面からフラットケーブル１が前方に引き出される略直方体状のコネクタ本体２と、コネクタ本体２の上面に配備されたケーブル固定装置３とを含んでいる。コネクタ本体２は、上面に開放面を有するケース４と、ケース４の開放面に配置されてここを実質的に塞いだカバー５とを含んでいる。
【００１６】
ケーブル固定装置３はプラスチック製のものであり、カバー５の上面に一体に形成された固定部６と、固定部６の上部に一端をヒンジ部７により接続された開閉可能な蓋として働く開閉部８とを含んでいる。したがって、ケーブル固定装置３は、コネクタ本体２のケーブル１が引き出された側面（正面）に隣接している上面に、上方へ突出した状態で配備されている。なお、固定部６をカバー５とは別体に作りかつカバー５に固定することもできる。また、ヒンジ部７は、ここでは固定部６及び開閉部８と一体に形成されているが、これらと別体に形成されたものが使用されてもよい。
【００１７】
図示されていないが、ケース４の内部には導電性の端子などの電気回路を構成する部品が収容されている。さらに、その電気回路にケーブルの一端を電気的に接続した上で、ケース４の内部にポッティング剤が充填されている。したがって、電気回路にケーブル１を接続したケーブル接続部はポッティング剤で保護されている。ポッティング剤としては熱硬化性のシリコン系樹脂を用いる。
【００１８】
図１の状態では、ケーブル固定装置３は上下方向で互いに隣接した複数の溝１１，１２を有している。図３に示すように、下段の溝１１は固定部６の側面に開口されたケーブル挿入口１１ａを有し、他方、上段の溝１２は固定部６の上面及び側面に開口されたケーブル挿入口１２ａを有している。上段の溝１２は、具体的には、固定部６と開閉部８とが協働することで形成されている。なお、ケーブル挿入口１１ａ，１２ａを開閉部８により開閉できるように構成されている。
【００１９】
次に、図４及び図５を参照して、ケーブル１をケーブル固定装置３に固定させる作業について説明する。
【００２０】
先ず、図４に示すようにケーブル固定装置３の開閉部８を開く。この状態で、コネクタ本体２から前方に引き出したケーブル１を後方に折り曲げる。そして、ケーブル１をケーブル挿入口１１ａから下段の溝１１に挿入する。次に、ケーブル１を前方に折り返してケーブル挿入口１２ａから上段の溝１２にケーブル１を配置する。その後、白抜き矢印１３で示すように開閉部８を閉じ、開閉部８の端部に備えたロック部８ａを固定部６に係合させ、図５に示すように開閉部８を固定部６と一体化させる。この結果、ケーブル１は溝１１，１２で案内されて蛇行した状態で固定装置３に固定され、コネクタ本体２からの引き出し方向と同じ方向に引き出される。
【００２１】
ここでは、開閉部８は複数の溝１１，１２のケーブル挿入口１１ａ，１２ａを全て同時に開閉するように示されているが、ケーブル挿入口の幾つかは開閉部８に依存しないように設計されてもよい。例えば、下段の溝１１のケーブル挿入口１１ａは常時開放の形に設計されてもよい。なお、開閉部８の底面８ｂによりケーブル１を上段の溝１２のケーブル載置面１２ｂに向けて押圧して、確実に固定するようにしても良いし、又は、スキマが出るように構成しても良い。
【００２２】
このように、ケーブル１は略Ｓ字状の変形を伴ってその複数の箇所が溝１１，１２に挿入され、これによりケーブル固定装置３に係合固定される。この結果、ケーブル１に引っ張り力が加わったとしても、コネクタ内部の上述したケーブル接続部に力が直接加わることはなくなり、したがってケーブル接続部の破損を防ぐことができる。また、コネクタ内部のポッテング剤とケーブルとの境界面にも力が直接加わることを防止できるので、防水性能の信頼性も向上する。
【００２３】
図６を参照して、本発明の他の実施形態に係るコネクタについて説明する。上述と同様な部分については同じ参照符号を付して説明を省略する。
【００２４】
図６において、ケーブル固定装置は参照符号３′で示され、カバー５の上面に固定設置されている。ケーブル固定装置３′は隣接形成された複数の溝１４，１５を有している。これらの溝１４，１５の互いに隣接したものは、互いに反対向きに開口されたケーブル挿入口１４ａ，１５ａを有している。ここで、複数の溝１４，１５は図１から図５における溝１１，１２にそれぞれ相当するものである。
【００２５】
図６のケーブル固定装置３′を使用する場合、コネクタ本体２から前方に引き出したケーブル１を後方に折り曲げてその一部１ｂをケーブル挿入口１４ａから下段の溝１４に先ず挿入する。次に、ケーブル１を前方に折り返してその他部１ｃを反対側のケーブル挿入口１５ａから上段の溝１５に挿入する。この結果、ケーブル１は溝１４，１５で案内されて蛇行した状態で固定装置３′に係合し、コネクタ本体からの引き出し方向と同じ方向に引き出される。しかも、ケーブル１は略Ｓ字状の変形を伴ってその複数の箇所が溝１４，１５に挿入され、これによりケーブル固定装置３′に保持される。
【００２６】
したがって、図１から図５を用いて説明したものとほぼ同様な作用を奏することができる。この場合には、図２の折り返し部１ａの構成により、ケーブル１にケーブル引き出し方向の力が加わっても折り返し部１ａのたるみの部分だけ動くが、それ以上動かなくなり、ケーブル１の接続部などには影響しない。しかも、開閉部を備える必要がないため簡単な構造で実施できる。
【００２７】
なお、溝を二つ備えたものについて説明したが、三つ以上の溝を備えることもできる。また、フラットケーブルを例にとって説明したが、他の種のケーブルであっても適用できる。また、コネクタ本体２のケーブル引き出し面に隣接した面にケーブル固定装置を設置しているが、他の面にケーブル固定装置を設置することもできる。
【図面の簡単な説明】
【００２８】
【図１】本発明の一実施形態に係るコネクタをケーブルの接続状態で示す斜視図である。
【図２】図１の状態の側面図である。
【図３】図１及び図２のコネクタをケーブルの未接続状態で示す斜視図である。
【図４】図１及び図２のコネクタに接続されたケーブルをコネクタに固定する作業の途中状態を示す斜視図である。
【図５】図１及び図２のコネクタに接続されたケーブルをコネクタに固定する作業の完了状態を示す斜視図である。
【図６】本発明の他の実施形態に係るコネクタをケーブルと共に示した説明図である。
【符号の説明】
【００２９】
１  フラットケーブル
２  コネクタ本体
３，３′  ケーブル固定装置
４  ケース
５  カバー
６  固定部
７  ヒンジ部
８  開閉部（蓋）
１１，１２  溝
１１ａ，１２ａ  ケーブル挿入口
１４，１５  溝
１４ａ，１５ａ  ケーブル挿入口
【図１】
2010040199.tif 000003
【図２】
2010040199.tif 000004
【図３】
2010040199.tif 000005
【図４】
2010040199.tif 000006
【図５】
2010040199.tif 000007
【図６】
2010040199.tif 000008